(57)【特許請求の範囲】
【請求項１】
少なくとも１種のバインダーと、少なくとも１種の下記式（Ｉ）の化合物を含む変性植物油とを含み：
【化１】
0005702309.tif 000011
（式中、
Ｚは、置換されていてもよい直鎖状もしくは分岐状のＣ４〜Ｃ２８アルキル基、または置換されていてもよい直鎖状もしくは分岐状のＣ４〜Ｃ２８アルケニル基を表し、かつ
Ｒ、Ｒ’、およびＲ’’は、同一であるかまたは異なり、独立に、水素原子、ヒドロキシル基、置換されていてもよい直鎖状もしくは分岐状のＣ１〜Ｃ１２アルキル基、置換されていてもよい直鎖状もしくは分岐状のＣ１〜Ｃ１２ヘテロアルキル基、置換されていてもよい直鎖状もしくは分岐状のＣ５〜Ｃ１０シクロアルキル基、または置換されていてもよい直鎖状もしくは分岐状のＣ６〜Ｃ２０アリール基を表す）；かつ
前記バインダーが、セメント、石灰、石膏、粘土、メタカオリナイト、合成ポリマー、およびこれらの混合物からなる群から選択される、
乾燥組成物。
【請求項２】
式（Ｉ）において、Ｚが、Ｃ４〜Ｃ２８アルキル基であり、かつ、Ｒ、Ｒ’、およびＲ’’が、同一であるかまたは異なり、独立に、水素原子または直鎖状もしくは分岐状のＣ１〜Ｃ１２アルキル基である、請求項１に記載の組成物。
【請求項３】
前記組成物が、粉末の形態である、請求項１または２に記載の組成物。
【請求項４】
前記油が、６０ｍＮ／ｍ未満の表面張力を有する、請求項１〜３のいずれか一項に記載の組成物。
【請求項５】
式（Ｉ）の化合物が、２０℃で０．１Ｐａ・秒未満の動的粘度を有する油中に含有されている、請求項１〜４のいずれか一項に記載の組成物。
【請求項６】
前記油の含有量が、組成物の０．０５〜５質量％である、請求項１〜５のいずれか一項に記載の組成物。
【請求項７】
前記バインダーが、セメント、石灰、合成ポリマー、およびこれらの混合物からなる群から選択される、請求項１〜６のいずれか一項に記載の組成物。
【請求項８】
前記バインダーが、セメントである、請求項１〜６のいずれか一項に記載の組成物。
【請求項９】
前記バインダーの含有量が、組成物の５〜９５質量％である、請求項１〜８のいずれか一項に記載の組成物。
【請求項１０】
砂、石粉、破砕煉瓦、砂利、砂粒、アルミナ、ボーキサイト、焼成ボーキサイト、破砕フリント、または任意の天然もしくは合成の骨材からなる群から選択される少なくとも１種の骨材をさらに含む、請求項１〜９のいずれか一項に記載の組成物。
【請求項１１】
前記骨材の含有量が、組成物の５〜９５質量％である、請求項１０に記載の組成物。
【請求項１２】
前記骨材が、シリカ質、石灰石、ケイ灰質、アルミナ、またはアルミノケイ酸の骨材である、請求項１０または１１に記載の組成物。
【請求項１３】
フライアッシュ、撥水剤もしくは防水剤、カルボン酸塩、樹脂、遅延剤、加速剤、空気連行剤、消泡剤、またはレオロジー改質剤からなる群から選択される添加剤をさらに含む、請求項１〜１２のいずれか一項に記載の組成物。
【請求項１４】
下記の工程を含む、請求項１〜１３のいずれか一項に記載の組成物の製造方法：
（ｉ）少なくとも１種のバインダーを含む混合物を調製する工程と、
（ｉｉ）式（Ｉ）の化合物を少なくとも１種含む少なくとも１種の油を、工程（ｉ）で得られた混合物に添加する工程。
【請求項１５】
少なくとも１種の式（Ｉ）の化合物と、少なくとも１種のバインダーとを含む混合物を調製する、請求項１〜１３のいずれか一項に記載の組成物の製造方法。
【請求項１６】
下記の工程を含む、請求項１〜１３のいずれか一項に記載の組成物の製造方法：
（ｉ）少なくとも１種の式（Ｉ）の化合物を含む少なくとも１種の油と、少なくとも１種のバインダーとを含む混合物を調製する工程；
（ｉｉ）少なくとも１種の骨材、少なくとも１種の添加剤、またはそれらの組合せを含む混合物を調製する工程；
（ｉｉｉ）工程（ｉ）で得られた混合物を、工程（ｉｉ）で得られた混合物に添加する工程。
【請求項１７】
下記の工程を含む、請求項１〜１３のいずれか一項に記載の組成物の製造方法：
（ｉ）少なくとも１種の式（Ｉ）の化合物を含む少なくとも１種の油と、少なくとも１種の骨材、少なくとも１種の添加剤、またはそれらの組合せとを含む混合物を調製する工程；
（ｉｉ）少なくとも１種のバインダーを含む混合物を調製する工程；
（ｉｉｉ）工程（ｉ）で得られた混合物を、工程（ｉｉ）で得られた混合物に添加する工程。
【請求項１８】
セメントグラウト材、モルタル、コンクリート、石膏、しっくい、およびスクリードからなる群より選択される材料の製造における、請求項１〜１３のいずれか一項に記載の組成物の使用。
【請求項１９】
建造物、構築物、コンクリートの修復、コンクリートおよび鋼鉄の悪天候もしくは外部的事象に対する保護、防水、固着、接着、封止、瓦もしくは床タイルの接着、または表面仕上げのための、請求項１〜１３のいずれか一項に記載の組成物の使用。
【発明の詳細な説明】
【技術分野】
【０００１】
本発明は、少なくとも１種のバインダーと、少なくとも１種の式（Ｉ）の化合物を含む油とを含む、特に粉塵の発生を低減することを可能にする乾燥組成物、およびその製造方法に関する。
【０００２】
本発明の組成物は、例えば、セメントをベースとする組成物、例えば、モルタル、コンクリート、および石膏などの製造に有用である。
【０００３】
以下の記述において、括弧内の参照番号（例えば、［参考文献ｘ］）は、実施例の後に示した参照文献のリスト番号を指す。
【背景技術】
【０００４】
セメントをベースとした乾燥したかまたはすぐに使用できるモルタル用もしくは石膏用組成物は、一般に粉末化された製品形態であり、例えば製造、包装、またはその使用の際にかなりの粉塵発生率を有する。
【０００５】
粉塵は、労働者の健康問題および労働者の職場環境問題を引き起こしている。
加えて、粉塵は、その材料が貯蔵されるかまたは取り扱われる局所的な環境（製造現場または建設現場）を汚す。
【０００６】
さらに、容易に吹き飛ばされる最も微細な粒子は、低用量の補助剤または添加剤である。このような場合、これらの構成成分は高価であり、組成物において、あるいは最終材料の特性において重要な役割を果たしている。このような構成成分が吹き飛ばされることによって、その組成物の組成が変化し、最終材料における性能の損失がもたらされる可能性がある。
【０００７】
加えて、組成物の微細な粒子は、吸湿性および／または静電気を帯びる性質を有している可能性があり、乾燥組成物の実施または使用における追加的な困難、例えば、流動性、固着、および「粉塵発生」型の危険性を引き起こし得る。
【０００８】
粉塵発生を低減するために、「防塵」添加剤が組成物の配合において使用されてきた。
【０００９】
例えば、米国特許第６，４６４，７７６号を参照することができる。米国特許第６，４６４，７７６号には、セメントまたはモルタル組成物の粉塵発生を制限するための、ポリテトラフルオロエチレンの使用が開示されている。しかし、これらの構成成分は、組成物への空気の浸透を促進し、これによってその材料の物理化学的特性が変更され、このためさらなる消泡剤添加剤を添加することが必要となる。
【００１０】
国際出願２００６／０８４５８８号には、建築用の乾燥組成物によって生じた粉塵を低減するための添加剤としての炭化水素化合物の使用が記載されている。
【００１１】
しかし、公知の添加剤の中で、一部は効果的ではなく、有意な「防塵」効果を得るためには、その添加剤が相当な量で必要となる。
【００１２】
加えて、一部の添加剤は、高価であり、制約的または実施困難な方法によって製造する必要がある。
【００１３】
加えて、一部の添加剤は、モルタルまたはコンクリートの特性および性能、とりわけ、作業性、濃度、接着性、および不浸透性、および耐久性等を損なう可能性がある。
【先行技術文献】
【特許文献】
【００１４】
【特許文献１】米国特許第６，４６４，７７６号明細書
【特許文献２】国際出願２００６／０８４５８８号パンフレット
【発明の概要】
【発明が解決しようとする課題】
【００１５】
したがって、先行技術のこれらの欠点および不利点を軽減する必要性が現実に存在する。特に、セメントをベースとする材料のための乾燥組成物であって、製造、輸送、または取り扱いの際の粉塵の発生および飛散を効率的に抑制することを可能にする組成物に対する必要性が現実に存在する。例えば良好な安定性および流動特性などを有する、低コスト、現実的であり、使用が容易である組成物に対する必要が実際に存在する。さらに、良好な物理化学的、特に作業性、耐久性、および圧縮強度特性を有する最終材料を得ることができる乾燥組成物に対する必要が実際に存在する。
【発明を実施するための形態】
【００１６】
偶然にも、本発明は、これらの要求および従来技術の欠点を解決することを目的としており、この目的は、少なくとも１種のバインダーと、少なくとも１種の下記式（Ｉ）の化合物を含む油とを含む乾燥組成物を提供することによって達成される。
【化１】
0005702309.tif 000002
（式中、
Ｚは、置換されていてもよい直鎖状もしくは分岐状のＣ４〜Ｃ２８アルキル基または置換されていてもよい直鎖状もしくは分岐状のＣ４〜Ｃ２８アルケニル基であり、かつ
Ｒ、Ｒ’、およびＲ’’は、同一であるかまたは異なり、独立に、水素原子、ヒドロキシル基、置換されていてもよい直鎖状もしくは分岐状のＣ１〜Ｃ１２アルキル基、置換されていてもよい直鎖状もしくは分岐状のＣ１〜Ｃ１２ヘテロアルキル基、置換されていてもよい直鎖状もしくは分岐状のＣ５〜Ｃ１０シクロアルキル基、置換されていてもよい直鎖状もしくは分岐状のＣ６〜Ｃ２０アリール基を表す）。
【００１７】
本発明の意義の範囲内で、「バインダー」は、全体として付着することを確実にする材料であって、多様な素材、例えば、砂、凝集体、および骨材などを互いに結合させることを可能にする材料を意味すると理解される。
【００１８】
本発明の意義の範囲内で、「無機バインダー」は、鉱物類からなるバインダーであって、水と混合すると、凝集によって硬化して骨材となるペーストを形成するものを意味すると理解される。無機バインダーとしては、当業者に知られている任意のバインダー、例えば、セメント（例えば、アルミナセメント、水硬性セメント、マグネシアセメント、冶金用セメント、加硫セメントもしくは混合セメント、溶鉱炉セメント、スラグセメント、アッシュセメント、ポゾランセメント、ポートランドセメント、またはブレンドされたポートランドセメント）、石灰（例えば、生石灰、焼結石灰、炭酸石灰、ホタル石、富石灰、低品位石灰、水硬性石灰、消石灰）、石膏、クレー、およびメタカオリナイトを挙げることができる。
【００１９】
本発明の意義の範囲内で、「有機バインダー」は、炭化水素バインダー、すなわち炭化水素をベースとするバインダーを意味すると理解される。有機バインダーとしては、当業者に知られている任意のバインダー、例えば、合成ポリマーを挙げることができる。
【００２０】
合成ポリマーは、例えば、非接着性および／または再分散可能な乾燥粉末（英語では「ｒｅｄｉｓｐｅｒｓｉｂｌｅ  ｐｏｗｄｅｒ」として定着している）の形態であってよい。これらには、例えば、熱可塑性ポリマー、熱硬化性ポリマー、アクリルポリマー、アクリルスチレンポリマー、エポキシポリマー、ポリウレタンポリマー、エチレン、ビニレン、および／もしくはビニルアセテートを含有するポリマー、または、スチレンおよび／もしくはブタジエンのモノマーを含有するポリマーが含まれる。
【００２１】
本発明の特定の実施態様によれば、バインダーは、セメント、石灰、石膏、クレー、合成ポリマー、例えば上述したものなど、およびこれらの混合物からなる群から選択することができる。
【００２２】
本発明の別の実施態様によれば、バインダーは、セメント、合成ポリマー、例えば上述したものなど、およびこれらの混合物からなる群から選択することができる。
【００２３】
本発明の意義の範囲内で、「アルキル基」は、１〜２８個の炭素原子を含み、置換されていてもよい、直鎖状、分岐状、または環状の炭化水素基を意味すると理解される。
【００２４】
Ｚにおける場合、このアルキル基は、Ｃ４〜Ｃ２８であってよく、例えばＣ６〜Ｃ２４、例えばＣ１０〜Ｃ２２、例えばＣ１６〜Ｃ２０であってよい。
【００２５】
Ｒ、Ｒ’、およびＲ’’における場合、このアルキル基は、Ｃ１〜Ｃ１２であってよく、例えばＣ１〜Ｃ１０、例えばＣ１〜Ｃ８であってよい。
【００２６】
本発明の意義の範囲内で、「アルケニル基」は、少なくとも１個の炭素−炭素二重結合を含み、直鎖状、分岐状、または環状であってよく、場合により置換されていてもよく、２〜２８個の炭素原子を含む、炭化水素基を意味すると理解される。
Ｚにおける場合、このアルケニル基は、Ｃ４〜Ｃ２８であってよく、例えばＣ６〜Ｃ２４、例えばＣ１０〜Ｃ２２、例えばＣ１６〜Ｃ２０であってよい。
【００２７】
Ｒ、Ｒ’、およびＲ’’における場合、このアルケニル基は、Ｃ２〜Ｃ１２であってよく、例えばＣ２〜Ｃ１０、例えばＣ２〜Ｃ８であってよい。
【００２８】
本発明の意義の範囲内で、「ヘテロアルキル基」は、上述したアルキル基であって、このアルキル基が、硫黄、酸素、窒素、およびホウ素からなる群から選択される少なくとも１個のヘテロ原子を含むものを意味すると理解される。
【００２９】
本発明の意義の範囲内で、「アリール基」は、Ｈｕｃｋｅｌ則の芳香族性則を満たす少なくとも１個の環を含む炭化水素基を意味すると理解される。このアリール基は、場合により置換されており、６〜１８個の炭素原子、例えば６〜１０個の炭素原子を含んでいてよい。
【００３０】
本発明の意義の範囲内で、「シクロアルキル基」は、置換されていてもよい、不飽和もしくは飽和の環状炭化水素基であって、５〜１０個の炭素原子を含んでいてよいものを意味すると理解される。
【００３１】
「置換」とは、例えば、所与の構造中の水素原子が、アルキル、アルケニル、ヘテロアルキル、アリール、ヘテロアリール、ヒドロキシル、アミン、ハロゲン、ハロアルキルなどからなる群から選択される基によって置き換えられていることを指す。１個以上の位置が置換されうる場合には、置換基は、各位置において同じであっても異なっていてもよい。
【００３２】
本発明の意義の範囲内で、「ハロアルキル基」は、上述したアルキル基であって、このアルキル基が、少なくとも１個のハロゲンを含むものを意味すると理解される。
【００３３】
本発明の特定の実施態様では、式（Ｉ）において、Ｚは、Ｃ４〜Ｃ２８アルケニル基を表すことができ、かつ、Ｒ、Ｒ’、およびＲ’’は、同一であるかまたは異なり、独立に、水素原子または直鎖状もしくは分岐状のＣ１〜Ｃ１２アルキル基を表すことができる。
【００３４】
例えば、式（Ｉ）において、ＲおよびＲ’は炭素原子を表すことができ、Ｒ’’は−Ｃ３Ｈ７基または−ＣＨ（Ｃ２Ｈ５）−（ＣＨ２）３−ＣＨ３基を表すことができる。
【００３５】
本発明の特定の実施態様では、油は、変性植物油であってよい。
【００３６】
本発明の意義の範囲内で、「変性植物油」は、処理（例えば、抽出または化学変性）を受けた天然の植物油を意味すると理解される。例えば、変性植物油には、天然起源のトリグリセリド（例えば、キャノーラ油、クルミ油、アマニ油、ひまわり油、ブドウ種子油、ピーナッツ油、コーン油、パーム油、ゴマ油、大豆種子油、ココア油、綿実油、からし油など）であって、化学的に変性されたもの（例えば、アルコールを用いるエステル交換反応によって変性されたもの）を包含する。
【００３７】
その抗防塵効果に加えて、本発明の組成物における変性植物油は、農業由来のものである利点、および再生可能かつ環境的に優しい資源である利点を有する。
【００３８】
本発明では、油は、式（Ｉ）の化合物を単独で、あるいは他の化合物と混合して含んでいてよい。例えば、式（Ｉ）の化合物は、他の異なる式（Ｉ）の化合物（例えば、１個、２個、３個、４個、または５個の他の式（Ｉ）の化合物）と混合されていてよく、および／または、他の化合物、例えば、エステル類（例えば、グリセロールまたは脂肪酸エステル）、アルコール類〔例えば、一般式ＲＲ’Ｒ’’Ｃ−ＯＨ（式中、Ｒ、Ｒ’、およびＲ’’は、上述した通りである）のアルコール類〕、ジグリセリド類、トリグリセリド類、または植物油の変性の際の二次的な反応もしくは不完全な反応（例えばエステル交換反応）から誘導された任意の生成物などと混合されていてよい。
【００３９】
例えば、油は、油の総質量の少なくとも１％の式（Ｉ）の化合物を含んでいてよい。油は、例えば、油の総質量の、少なくとも５％、例えば少なくとも３０％、例えば少なくとも５０％の式（Ｉ）の化合物を含んでいてよい。
【００４０】
例示の目的で、市販の変性油、例えば、Ｅｓｔｏｒｏｂ（登録商標）系列の油、例えば、Ｅｓｔｏｒｏｂ（登録商標）１２１４、Ｅｓｔｏｒｏｂ（登録商標）１２９２、Ｅｓｔｏｒｏｂ（登録商標）３０１．０１、Ｅｓｔｏｒｏｂ（登録商標）８０４．０１、Ｅｓｔｏｒｏｂ（登録商標）８０８．０１、Ｅｓｔｏｒｏｂ（登録商標）９２６．６５、またはＬｕｂｒｉｒｏｂ（登録商標）系列の油、例えば、Ｌｕｂｒｉｒｏｂ（登録商標）１２１４、Ｌｕｂｒｉｒｏｂ（登録商標）８０４．０１、Ｌｕｂｒｉｒｏｂ（登録商標）８０８．０１、Ｌｕｂｒｉｒｏｂ（登録商標）８１０．０１、Ｌｕｂｒｉｒｏｂ（登録商標）９２６．５５、Ｌｕｂｒｉｒｏｂ（登録商標）９２６．６５を挙げることができる。これらは、Ｎｏｖａｎｃｅ社（仏国）によって市販されている。
【００４１】
本発明の組成物は、粉末の形態であってよい。粉末の粒子は、例えば、最高で１０ｍｍまでの直径、例えば１０ｎｍ〜１０ｍｍ、例えば０．０００１〜５ｍｍ、例えば、０．００１〜２ｍｍの直径を有していてよい。例えば、本発明の組成物は、その粒子の５０％を超える粒子が０．００１〜１０ｍｍの直径を有する粉末粒子を含むことができる。
【００４２】
油は、６０ｍＮ／ｍ未満、例えば、４５ｍＮ／ｍ未満の表面張力を有することができる。本発明の一実施態様では、油は、３５ｍＮ／ｍ未満の表面張力を有することができる。
【００４３】
本発明の意義の範囲内で、「表面張力」は、油と粉末粒子（固体）の表面との間の分離表面（ｓｅｐａｒａｔｉｏｎ  ｓｕｒｆａｃｅ）に存在する張力を意味すると理解される。この表面張力は、油が粉末粒子の表面を湿潤させる特徴的な能力を有効にする。Ｙｏｕｎｇ−Ｄｕｐｒｅ方程式によれば、油は、その油の表面張力が固体粒子の表面張力より弱い場合に、よりいっそう容易に固体粒子を湿潤させる。
【００４４】
油の表面張力は、例えば、ペンダント・ドロップ法によって測定することができる（［参考文献３］、ＳＴＡＵＦＥＲ（Ｃ．Ｅ）、「Ｔｈｅ  ｍｅａｓｕｒｅｍｅｎｔ  ｏｆ  ｔｈｅ  ｓｕｒｆａｃｅ  ｔｅｎｓｉｏｎ  ｂｙ  ｔｈｅ  ｐｅｎｄａｎｔ  ｄｒｏｐ  ｔｅｃｈｎｉｑｕｅ」、Ｊ．  Ｐｈｙｓ．  Ｃｈｅｍ．  ６９，  １９６５，  ｐｐ．  １９３３−８）。
【００４５】
本発明では、油は、２０℃で０．１Ｐａ・秒未満、例えば２０℃で０．００１〜０．０８Ｐａ・秒、例えば２０℃で０．００１〜０．０５Ｐａ・秒の動的粘度を有することができる。
【００４６】
本発明では、「動的粘度」は、油中の剪断力によって生じる応力を特徴とする油の物理的特性を意味すると理解される。
【００４７】
油の動的粘度は、例えば、ＮＦ  ＥＮ  ＩＳＯ  ２５５５またはＮＦ  ＥＮ  ＩＳＯ  ３１０４基準の方法によって測定することができる。
【００４８】
本発明の一実施態様では、油は、４５ｍＮ／ｍ未満の表面張力を有し、かつ、２０℃にて０．１Ｐａ・秒未満の動的粘度を有することができる。
【００４９】
抑制し、その発生の低減をも求められている粉塵は、乾燥組成物中に含有されている微細な（軽量の）粒子である。全く驚くべきことには、油の表面張力および粘度を適切に選択することによって、本発明の組成物を防塵する効果の発揮が可能になることが観察された。実際のところ、これらのパラメータを適切に選択すると、粉塵の形態の微細粒子の発生および飛散が低減され、同時に、望ましくない凝集物の形成が防止される。例えば、粗大粒子が凝集すると、本発明の乾燥組成物の実施およびその性能（例えば、流動性および接着特性）、ならびに／または、本発明の乾燥組成物から得られるモルタルまたは材料の性能（作業性、機械的強度、接着性）が損なわれる。本発明では、「微細粒子」は、５０μｍ未満、例えば３２μｍ未満の直径を有する粒子を意味すると理解される。本発明では、「粗大粒子」は、５０μｍより大きい直径を有する粒子を意味すると理解される。
【００５０】
本発明の特定の実施態様では、組成物中の油の含有量は、組成物の０．０５〜５質量％、例えば０．１〜５質量％、例えば０．１〜１質量％、例えば０．２〜１質量％であることができる。
【００５１】
本発明の組成物は、組成物の５〜９５質量％、例えば１０〜８０質量％、例えば１５〜５０質量％のバインダー含有量を有することができる。
【００５２】
本発明では、組成物は、少なくとも１種の骨材をさらに含むことができる。骨材は、特に、砂、石粉、破砕煉瓦、砂利、砂粒、アルミナ、ボーキサイト、焼成ボーキサイト、破砕フリント、または任意の天然もしくは合成の骨材（例えば、木材、ゴム、ポリスチレン）からなる群から選択される。当業者であれば、目標とする用途に応じて用いる骨材を選択することができる。
【００５３】
例えば、組成物は、組成物の５〜９５質量％、例えば２０〜９０質量％、例えば５０〜８５質量％の骨材含有量を有することができる。
【００５４】
本発明の意義の範囲内で、「骨材」は、天然または合成起源の固体粒子または固体粒子の凝集物であって、建造物、構築体、または土木建造物の建造用の材料の組成物の一部となることが意図されたものを意味すると理解される。骨材は、１μｍ〜１０ｍｍ、例えば１００μｍ〜１０ｍｍの範囲の直径を有することができる。有用な骨材としては、例えば、礫岩、砂利（２〜１０ｍｍの粒径を有するもの）、粗砂（０．５〜２ｍｍの粒径を有するもの）、細砂（１００〜５００μｍの粒径を有するもの）、沈泥、微粒子（充填材とも称される）を挙げることができる。
【００５５】
本発明の意義の範囲内で、「微粒子」（すなわち「充填材」）は、微細な骨材、例えば１２５μｍ未満の粒径を有する骨材を意味すると理解される。
【００５６】
本発明の特定の実施態様では、骨材は、シリカ質、石灰石、ケイ灰質、アルミナ、またはアルミノケイ酸の骨材であることができる。
【００５７】
本発明では、組成物は、フライアッシュ、撥水剤もしくは防水剤、カルボン酸塩、樹脂、遅延剤、加速剤、空気連行剤、消泡剤、レオロジー改質剤、および当業者に知られている任意の他の有用な補助剤または添加剤からなる群から選択される添加剤をさらに含んでいてよい。当業者であれば、目標とする用途に応じて用いる添加剤を選択することができる。この添加剤は、粉末の形態であるか、あるいは本発明の組成物に導入する際に混合可能な形態であることが有利である。
【００５８】
本発明の意義の範囲内で、「添加剤」は、組成物に添加される構成成分または製品であって、組成物における特定の特徴および特性が得られるようにするもの（例えば、材料の硬化時間、保存、粘度および作業性の変更、機械的強度および不浸透性の向上、ならびに微生物の増殖の予防）を意味すると理解される。
【００５９】
空気連行剤および消泡剤としては、例えば、洗剤、湿潤剤、分散剤、および界面活性剤を挙げることができる。より正確には、空気連行剤および消泡剤には、陰イオン性界面活性剤、陽イオン性界面活性剤、双性イオン性または両性界面活性剤、非イオン性界面活性剤（例えば、ショ糖エステル、ソルビトール、ポリエチレングリコールエステル、脂肪酸エステル、エトキシル化界面活性剤、または、例えば欧州特許出願第１，６６１，８７４号に記載されている他の非イオン性界面活性剤）が含まれ得る。
【００６０】
撥水剤もしくは防水剤としては、例えば、脂肪酸エステル、シリコーン誘導体、ＰＴＦＥ（ポリテトラフルオロエチレン）誘導体を挙げることができる。
【００６１】
カルボン酸塩としては、例えば、カルボン酸カルシウム、例えばギ酸カルシウムを挙げることができる。
樹脂としては、例えば、尿素から誘導されたアミノ樹脂（例えばメラミン）を挙げることができる。
【００６２】
遅延剤（セメント、モルタル、または他の材料の硬化を遅延させる作用を有する化合物）としては、例えば、グルコン酸塩、クエン酸、酒石酸、およびこれらの塩、アミノ樹脂、または、例えば欧州特許出願第１，６６１，８７４号に記載されている他の遅延剤を挙げることができる。
【００６３】
促進剤としては、ホルメート、チオシアネート、ニトレート、ＮａＣｌ、ＣａＣｌ２、水酸化アルミニウム、アルミナ、トリエタノールアミン、トリイソプロパノールアミンなどを挙げることができる。
【００６４】
レオロジー改質剤としては、例えば、セルロースエーテル、ゴム（キサンタンゴム、グアーガム、ジェランガムなど）、スターチ、スターチエーテル、ポリビニルアルコール、水溶性ポリアクリレート、コロイダルシリカ、ポリマーもしくはコポリマー〔アセテート−バーサテートコポリマー（ａｃｅｔａｔｅ−ｖｅｒｓａｔａｔｅ  ｃｏｐｏｌｙｍｅｒ）、スチレン−アクリルコポリマー、ポリビニルアセテートコポリマー、アクリルコポリマー、エチレン−ビニレン−アセテートターポリマー〕を挙げることができる。メラミンおよびその誘導体、ポリナフタレンおよびその誘導体、ポリカルボキシレート、ならびにカゼインのような減水剤を挙げることもできる。
【００６５】
組成物中の添加剤の合計含有量は、組成物の０．０１〜２０質量％、例えば０．０５〜１５質量％、例えば０．１〜１０質量％であることができる。
【００６６】
本発明の特定の実施態様では、組成物は、以下のものを含むことができる：
少なくとも１％の式（Ｉ）の化合物を含む少なくとも１種の油（組成物の０．０５〜５質量％の合計油含有量）；
少なくとも１種のバインダー（組成物の５〜９５質量％の合計バインダー含有量）；
少なくとも１種の骨材（組成物の５〜９５質量％の合計骨材含有量）；および
少なくとも１種の添加剤（組成物の０．１〜２０質量％の合計添加剤含有量）。
【００６７】
本発明は、本発明の組成物の製造方法であって、
（ｉ）少なくとも１種のバインダーおよび／または少なくとも１種の骨材および／または少なくとも１種の添加剤を含む混合物を調製する工程と、
（ｉｉ）式（Ｉ）の化合物を少なくとも１種含む少なくとも１種の油を、工程（ｉ）で得られた混合物に添加する工程と
を含む、製造方法にも関する。
【００６８】
本発明は、本発明の組成物の製造方法であって、少なくとも１種の式（Ｉ）の化合物と、少なくとも１種のバインダーと、場合により少なくとも１種の骨材および／または少なくとも１種の添加剤と、を含む混合物を調製する、製造方法にも関する。
【００６９】
発明は、本発明の組成物の製造方法であって、
（ｉ）少なくとも１種の式（Ｉ）の化合物を含む少なくとも１種の油と、少なくとも１種のバインダーおよび／または少なくとも１種の骨材および／または少なくとも１種の添加剤と、を含む混合物を調製する工程；
（ｉｉ）少なくとも１種のバインダーおよび／または少なくとも１種の骨材および／または少なくとも１種の添加剤を含む混合物を調製する工程；
（ｉｉｉ）工程（ｉ）で得られた混合物を、工程（ｉｉ）で得られた混合物に添加する工程
を含む、製造方法にも関する。
【００７０】
本発明は、本発明の組成物の使用であって、特に、セメントグラウト材、モルタル、コンクリート、石膏、しっくい、および／またはスクリードの製造のための使用にも関する。
【００７１】
本発明は、本発明の組成物の使用であって、特に、建造物、構築物、コンクリートの修復、コンクリートおよび鋼鉄の悪天候もしくは外部的事象に対する保護、防水、固着、接着、封止、瓦もしくは床タイルの接着、ならびに表面仕上げのための使用にも関する。
【００７２】
他の利点が、以下の実施例によって当業者にさらに明らかとなるであろう。
【実施例】
【００７３】
以下の実施例において、「防塵」剤は、式（Ｉ）の化合物を少なくとも１種含む油を指す。
【００７４】
［実施例１］：本発明による組成物（１ａ）および（１ｂ）
本発明による組成物（１ａ）および（１ｂ）は、下記表１にその構成成分の割合を（乾燥組成物の総質量の質量％単位で）示した、モルタルのための乾燥組成物である：
【表１】
0005702309.tif 000003
【００７５】
２つの組成物（１ａ）および（１ｂ）は、以下の変性植物油を「防塵」剤として以下に示す割合で用いて、製造した：
Ｎｏｖａｎｃｅ社（仏国）によってＬｕｂｒｉｒｏｂ（登録商標）８０４．０１の名称で市販されている変性植物油を０．７％含む、組成物（１ａ）；
Ｎｏｖａｎｃｅ社（仏国）によってＬｕｂｒｉｒｏｂ（登録商標）８０８．０１の名称で市販されている変性植物油を０．７％含む、組成物（１ｂ）。
【００７６】
本発明による組成物（１ａ）および（１ｂ）において「防塵」剤として用いた変性植物油の特性を下記表２に示す：
【表２】
0005702309.tif 000004
【００７７】
２つの変性植物油であるＬｕｂｒｉｒｏｂ（登録商標）８０４．０１およびＬｕｂｒｉｒｏｂ（登録商標）８０８．０１は、キャノーラ油を、アルコール〔Ｌｕｂｒｉｒｏｂ（登録商標）８０４．０１油についてはブタノール、Ｌｕｂｒｉｒｏｂ（登録商標）８０８．０１油については２−エチル−ヘキサン−１−オール（ＨＯ−ＣＨ２−ＣＨ（Ｃ２Ｈ５）−（ＣＨ２）３−ＣＨ３）〕を用いてエステル交換させて誘導される。
【００７８】
これらの組成物は、特に式（Ｉ）の化合物であって、式中、
ＺがＣ１８アルケニル基であり、
ＲおよびＲ’が水素原子であり、Ｒ’’がアルキル基−Ｃ３Ｈ７（Ｌｕｂｒｉｒｏｂ（登録商標）８０４．０１油について）または−ＣＨ（Ｃ２Ｈ５）−（ＣＨ２）３（Ｌｕｂｒｉｒｏｂ（登録商標）８０８．０１油について）であるものを含む。
【００７９】
〔操作手順〕：
組成物（１ａ）および（１ｂ）を、以下のとおりに製造した：
（ｉ）砂、充填材、セメント、および補助剤を混合し、
（ｉｉ）防塵剤を前記混合物に添加し、全てを一緒に混合物する。
【００８０】
［実施例２］：本発明による組成物（２ａ）および（２ｂ）
本発明による組成物（２ａ）および（２ｂ）は、下記表３にその構成成分の割合を（乾燥組成物の総質量の質量％単位で）示した、モルタルのための乾燥組成物である：
【表３】
0005702309.tif 000005
【００８１】
２つの組成物（２ａ）および（２ｂ）は、以下の変性植物油を「防塵」剤として以下に示す割合で用いて、製造した：
Ｎｏｖａｎｃｅ社（仏国）によってＬｕｂｒｉｒｏｂ（登録商標）８０４．０１の名称で市販されている変性植物油を０．７％含む、組成物（２ａ）。
Ｎｏｖａｎｃｅ社（仏国）によってＬｕｂｒｉｒｏｂ（登録商標）８０８．０１の名称で市販されている変性植物油を０．７％含む、組成物（２ｂ）。
【００８２】
〔操作手順〕：
組成物（２ａ）および（２ｂ）を、以下のとおりに製造した：
（ｉ）砂、充填材、セメント、および補助剤を混合し、
（ｉｉ）防塵剤を前記混合物に添加し、全てを一緒に混合物する。
【００８３】
［実施例３］：本発明による組成物および比較例の組成物の「防塵」効果の測定
ａ）組成物（１ａ）、（１ｂ）、（１ｃ）、（１ｄ）、（１ｅ）、および（１ｆ）
５つの組成物（１ａ）、（１ｂ）、（１ｃ）、（１ｄ）、および（１ｅ）を、さまざまな「防塵」剤を用いて製造すると共に、組成物（１ｆ）（すなわち「防塵」剤を含まない「対照」組成物）を製造した：
変性植物油〔Ｌｕｂｒｉｒｏｂ  ８０４．０１（すなわち「Ｌ  ８０４．０１」）〕を０．７％含む、本発明による組成物（１ａ）；
変性植物油〔Ｌｕｂｒｉｒｏｂ  ８０８．０１（すなわち「Ｌ  ８０８．０１」）〕を０．７％含む、本発明による組成物（１ｂ）；
未変性植物油〔（ベルギーのＣＡＲＧＩＬＬ  ＯＩＬ社から市販されている食用キャノーラ油ＶＩＴＡ  Ｄ’ＯＲ（登録商標）〕）を０．７％含む、組成物（１ｃ）（実施例１の操作手順に従って製造したもの）；
未変性植物油〔（ベルギーのＢＯＵＴＯＮ  ｄ’ＯＲ社から市販されている食用ひまわり油）〕を０．７％含む、組成物（１ｄ）（実施例１の操作手順に従って製造したもの）；
未変性植物油〔（ベルギーのＥｍｅｒｙ  Ｏｌｅａｃｈｅｍｉｃａｌｓ社から市販されているリノレン酸ＥＤＥＮＯＲ  Ｂ  ０５（登録商標））〕を０．７％含む、組成物（１ｅ）（実施例１の操作手順に従って製造したもの）；
「防塵」剤を全く含まない、組成物（１ｆ）（実施例１の操作手順に従って製造したもの）。
【００８４】
実施例１に記述した通りに式（Ｉ）の化合物を最初に含んでいる変性植物油Ｌｕｂｒｉｒｏｂ（登録商標）８０４．０１およびＬｕｂｒｉｒｏｂ（登録商標）８０８．０１とは異なって、２つの未変性の天然の植物油（キャノーラ油およびヒマワリ油）は、Ｃ１８アルケニル基からなるトリグリセリドを最初に含んでいる。
【００８５】
モルタルの粉塵の発生を測定するために実施した試験は、１００ｍｌのフラスコを、６５ｇの乾燥モルタルで満たし、この封をしたフラスコを１０回振盪することを含む。激しい撹拌を停止させた後、すみやかにフラスコを開ける。次いで、粉塵の発生を１〜４の尺度で評価する（１は非常に低い粉塵の発生に相当し、４は非常に高い粉塵の発生に相当する）。
【００８６】
得られた結果を下記表４に示す：
【表４】
0005702309.tif 000006
【００８７】
本発明による組成物（１ａ）および（１ｂ）は、「防塵」剤を含まない対照組成物（１ｆ）と比較して、粉塵の発生を有意に低減させることを可能にする。
【００８８】
加えて、変性植物油を含む本発明による組成物（１ａ）および（１ｂ）は、粉塵の発生の低減に関して、変性植物油を含まない類似の組成物（１ｃ）、（１ｄ）、および（１ｅ）、またはリノレン酸を含む組成物よりも、実際により効果的である。
【００８９】
ｂ）組成物（２ａ）、（２ｂ）、（２ｃ）、（２ｄ）、（２ｅ）、および（２ｆ）
５つの組成物（２ａ）、（２ｂ）、（２ｃ）、（２ｄ）、および（２ｅ）を、さまざまな「防塵」剤を用いて製造すると共に、組成物（２ｆ）すなわち「防塵」剤を含まない「対照」組成物を製造した：
変性植物油〔Ｌｕｂｒｉｒｏｂ（登録商標）８０４．０１（すなわち「Ｌ８０４．０１」）〕を０．７％含む、本発明による組成物（２ａ）；
変性植物油〔Ｌｕｂｒｉｒｏｂ（登録商標）８０８．０１（すなわち「Ｌ８０８．０１」）〕を０．７％含む、本発明による組成物（２ｂ）；
未変性植物油〔（ベルギーのＣＡＲＧＩＬＬ  ＯＩＬ社から市販されている食用キャノーラ油ＶＩＴＡ  Ｄ’ＯＲ（登録商標）〕）を０．７％含む、組成物（２ｃ）（実施例２の操作手順に従って製造したもの）；
未変性植物油〔（ベルギーのＢＯＵＴＯＮ  ｄ’ＯＲ社から市販されている食用ひまわり油）〕を０．７％含む、組成物（２ｄ）（実施例２の操作手順に従って製造したもの）；
未変性植物油〔（ベルギーのＥｍｅｒｙ  Ｏｌｅａｃｈｅｍｉｃａｌｓ社から市販されているリノレン酸ＥＤＥＮＯＲ  Ｂ  ０５（登録商標））〕を０．７％含む、組成物（２ｅ）（実施例２の操作手順に従って製造したもの）；
「防塵」剤を全く含まない、組成物（２ｆ）（実施例２の操作手順に従って製造したもの）。
【００９０】
これらの５つの組成物の粉塵の発生を測定するための試験を、上述したとおりに実施した。
【００９１】
得られた結果を下記表５に示す：
【表５】
0005702309.tif 000007
【００９２】
本発明による組成物（２ａ）および（２ｂ）は、「防塵」剤を含まない対照組成物（２ｆ）と比較して、粉塵の発生の有意な低減を可能にする。
【００９３】
加えて、変性植物油を含む本発明による組成物（２ａ）および（２ｂ）の場合には、変性植物油を含まない類似の組成物（２ｃ）、（２ｄ）、および（２ｅ）、またはリノレン酸を含む組成物よりも、粉塵の発生が大幅に有意に低減されることを示している。
【００９４】
［実施例４］：本発明の組成物から導かれるモルタルの性能の評価
これらを試験するために、実施例３．ａ）で調製した５つの組成物を、評価し、比較した。
【００９５】
これらの性能試験は、硬化したモルタルについて実施した。硬化したモルタルは、乾燥モルタル組成物（１ａ）、（１ｂ）、（１ｃ）、および（１ｄ）から、これらの組成物に乾燥粉末の総質量の１２．５質量％の量で水を添加することによって製造した。これらのモルタル試料を、硬化の２８日後に評価した。
【００９６】
以下の試験を実施した：
圧縮強度試験（ＥＮ１２１９０試験基準に準拠して測定を実施した）；
曲げ強度試験（ＥＮ１２１９０試験基準に準拠して測定を実施した）；
接着性試験（ＥＮ１５４２試験基準に準拠して測定を実施した）；
収縮試験（ＥＮ１２６１７−４試験標準に準拠して測定を実施した）。
【００９７】
得られた結果を下記表６に示す：
【表６】
0005702309.tif 000008
【００９８】
これらの結果は、本発明の組成物を用いて得られたモルタル〔組成物（１ａ）および（１ｂ）〕が、非常に良好な性能を有することを示している。特に、圧縮強度および曲げ特性が、組成物（１ｃ）および（１ｄ）を用いた場合と比較して、著しく向上する。加えて、接着性および自由収縮特性は、組成物（１ｃ）および（１ｄ）の特性と同等である。
【００９９】
加えて、本発明の組成物（１ａ）およおび（１ｂ）から導かれるモルタルの性能は、対照組成物（１ｆ）から導かれるモルタルと比較して遜色ない。自由収縮特性は、対照組成物（１ｆ）と比較してむしろ向上している。このように、粉塵の発生の低下を可能にする一方で、変性植物油を含む本発明の組成物は、対照組成物（「防塵」剤を全く含まない組成物）の性能と同等の非常に良好な性能を維持することを可能にする。
【０１００】
［実施例５］：「防塵」効果の測定
以下の組成物を調製した：
変性植物油〔Ｌｕｂｒｉｒｏｂ（登録商標）８０４．０１（すなわち「Ｌ８０４．０１」）〕を０．７％含む、本発明による組成物（１ａ）；
「防塵」剤を全く含まない、組成物（１ｆ）（実施例１の操作手順に従って製造したもの）；
組成物（１ｆ）をふるいにかけ、これによって３２μｍ未満の直径を有する粒子を除去することによって調製した、組成物（１ｇ）。
【０１０１】
これらの３つの組成物のそれぞれの粉塵の発生を、実施例３に記述した試験にしたがって測定した。得られた結果を下記表７に示す：
【表７】
0005702309.tif 000009
【０１０２】
すでに実施例３で観察されたとおり、本発明の組成物（１ａ）は、「防塵」剤を全く含まない組成物である対照組成物（１ｆ）と比較して、粉塵の発生を有意に低下させることを可能にする。
【０１０３】
加えて、これらの結果は、本発明の組成物（１ａ）が、３２μｍ未満の直径を有する粒子がふるいによって除去された組成物（１ｇ）と同程度に、粉塵の発生を有意に低下させることを可能にすることを示している。
【０１０４】
＜参考文献＞
［参考文献１］ＵＳ６，４６４，７７６
［参考文献２］ＷＯ２００６／０８４５８８
［参考文献３］ＳＴＡＵＦＦＥＲ（Ｃ．  Ｅ）−−Ｔｈｅ  ｍｅａｓｕｒｅｍｅｎｔ  ｏｆ  ｔｈｅ  ｓｕｒｆａｃｅ  ｔｅｎｓｉｏｎ  ｂｙ  ｔｈｅ  ｐｅｎｄａｎｔ  ｄｒｏｐ  ｔｅｃｈｎｉｑｕｅ．  Ｊ．  Ｐｈｙｓ．  Ｃｈｅｍ．  ６９，  １９６５，  ｐｐ．  １９３３−８．
［参考文献４］ＥＰ１，６６１，８７４
＜実施態様＞
なお、本発明の実施態様としては下記の態様を挙げることができる：
〈１〉少なくとも１種のバインダーと、少なくとも１種の下記式（Ｉ）の化合物を含む油とを含む乾燥組成物：
【化１】
0005702309.tif 000010
（式中、
Ｚは、場合により置換されていてもよい直鎖状もしくは分岐状のＣ４〜Ｃ２８アルキル基または場合により置換されていてもよい直鎖状もしくは分岐状のＣ４〜Ｃ２８アルケニル基であり、かつ
Ｒ、Ｒ’、およびＲ’’は、同一であるかまたは異なり、独立に、水素原子、ヒドロキシル基、場合により置換されていてもよい直鎖状もしくは分岐状のＣ１〜Ｃ１２アルキル基、場合により置換されていてもよい直鎖状もしくは分岐状のＣ１〜Ｃ１２ヘテロアルキル基、場合により置換されていてもよい直鎖状もしくは分岐状のＣ５〜Ｃ１０シクロアルキル基、場合により置換されていてもよい直鎖状もしくは分岐状のＣ６〜Ｃ２０アリール基を表す）。
〈２〉式（Ｉ）において、Ｚが、Ｃ４〜Ｃ２８アルキル基であり、かつ、Ｒ、Ｒ’、およびＲ’’が、同一であるかまたは異なり、独立に、水素原子または直鎖状もしくは分岐状のＣ１〜Ｃ１２アルキル基である、上記〈１〉に記載の組成物。
〈３〉前記油が、変性植物油である、上記〈１〉または〈２〉に記載の組成物。
〈４〉前記組成物が、粉末の形態である、上記〈１〉〜〈３〉のいずれか一項に記載の組成物。
〈５〉前記油が、６０ｍＮ／ｍ未満の表面張力を有する、上記〈１〉〜〈４〉のいずれか一項に記載の組成物。
〈６〉式（Ｉ）の化合物が、２０℃で０．１Ｐａ・秒未満の動的粘度を有する油中に含有されている、上記〈１〉〜〈５〉のいずれか一項に記載の組成物。
〈７〉前記油の含有量が、組成物の０．０５〜５質量％である、上記〈１〉〜〈６〉のいずれか一項に記載の組成物。
〈８〉前記バインダーが、セメント、石灰、石膏、粘土、合成ポリマー、またはこれらの混合物を含む群から選択される、上記〈１〉〜〈７〉のいずれか一項に記載の組成物。
〈９〉前記バインダーが、セメント、石灰、合成ポリマー、またはこれらの混合物を含む群から選択される、上記〈１〉〜〈７〉のいずれか一項に記載の組成物。
〈１０〉前記バインダーの含有量が、組成物の５〜９５質量％である、上記〈１〉〜〈９〉のいずれか一項に記載の組成物。
〈１１〉砂、石粉、破砕煉瓦、砂利、砂粒、アルミナ、ボーキサイト、焼成ボーキサイト、破砕フリント、または任意の天然もしくは合成の骨材を含む群から選択される少なくとも１種の骨材をさらに含む、上記〈１〉〜〈１０〉のいずれか一項に記載の組成物。
〈１２〉前記骨材の含有量が、組成物の５〜９５質量％である、上記〈１１〉に記載の組成物。
〈１３〉前記骨材が、シリカ質、石灰石、ケイ灰質、アルミナ、またはアルミノケイ酸の骨材である、上記〈１１〉または〈１２〉に記載の組成物。
〈１４〉フライアッシュ、撥水剤もしくは防水剤、カルボン酸塩、樹脂、遅延剤、加速剤、空気連行剤、消泡剤、またはレオロジー改質剤を含む群から選択される添加剤をさらに含む、上記〈１〉〜〈１３〉のいずれか一項に記載の組成物。
〈１５〉上記〈１〉〜〈１４〉のいずれか一項に記載の組成物の製造方法であって、
（ｉ）少なくとも１種のバインダーおよび／または少なくとも１種の骨材および／または少なくとも１種の添加剤を含む混合物を調製する工程と、
（ｉｉ）式（Ｉ）の化合物を少なくとも１種含む少なくとも１種の油を、工程（ｉ）で得られた混合物に添加する工程と
を含む、製造方法。
〈１６〉少なくとも１種の式（Ｉ）の化合物と、少なくとも１種のバインダーと、場合により少なくとも１種の骨材および／または少なくとも１種の添加剤と、を含む混合物を調製する、上記〈１〉〜〈１４〉のいずれか一項に記載の組成物の製造方法。
〈１７〉上記〈１〉〜〈１４〉のいずれか一項に記載の組成物の製造方法であって、
（ｉ）少なくとも１種の式（Ｉ）を含む少なくとも１種の油と、少なくとも１種のバインダーおよび／または少なくとも１種の骨材および／または少なくとも１種の添加剤と、を含む混合物を調製する工程；
（ｉｉ）少なくとも１種のバインダーおよび／または少なくとも１種の骨材および／または少なくとも１種の添加剤を含む混合物を調製する工程；
（ｉｉｉ）工程（ｉ）で得られた混合物を、工程（ｉｉ）で得られた混合物に添加する工程
を含む、製造方法。
〈１８〉セメントグラウト材、モルタル、コンクリート、石膏、しっくい、および／またはスクリードの製造における、上記〈１〉〜〈１４〉のいずれか一項に記載の組成物の使用。
〈１９〉建造物、構築物、コンクリートの修復、コンクリートおよび鋼鉄の悪天候もしくは外部的事象に対する保護、防水、固着、接着、封止、瓦もしくは床タイルの接着、ならびに表面仕上げのための、上記〈１〉〜〈１４〉のいずれか一項に記載の組成物の使用。